(57)【要約】【課題】  待機モード回復回路の提供。【解決手段】  コンピュータ画面を表示可能なテレビに応用される待機モード回復回路であり、マイクロプロセッサを利用してテレビ内の全てのチップの電源をオンし、更にＩ2 Ｃピンを通してコミュニケートの動作を実行し、並びにどのチップの動作が必要かを検出し、双方向チャネルアナログ混合と分離器を通す必要がなく、テレビをタイキモードより使用モードに回復させることができる。【選択図】        図２
2006166392.tif 000002
【特許請求の範囲】
【請求項１】
コンピュータ画面を表示できるテレビに応用される待機モード回復回路であって、
電源調節器と、
外部装置より入力された起動信号を受信し並びにそれを出力する起動信号検出回路と、  外部装置より入力された垂直及び水平同期信号を受信する同期信号検出回路と、
該電源調節器、該起動信号検出回路、及び該同期信号検出回路にそれぞれ接続されたマイクロプロセッサと、
を具え、該マイクロプロセッサは起動信号検出回路或いは同期信号検出回路の少なくとも一方の信号が入力される時、電源調節器の電力供給を制御し、テレビを待機モードから使用モードに回復させることを特徴とする、待機モード回復回路。
【請求項２】
請求項１記載の待機モード回復回路において、起動信号検出回路が赤外線受信モジュールを具え、起動信号が無線リモートコントローラーより入力される赤外線信号とされることを特徴とする、待機モード回復回路。
【請求項３】
請求項１記載の待機モード回復回路において、起動信号がキー入力信号とされることを特徴とする、待機モード回復回路。
【請求項４】
請求項１記載の待機モード回復回路において、同期信号がコンピュータより入力されることを特徴とする、待機モード回復回路。
【請求項５】
請求項１記載の待機モード回復回路において、テレビがＬＣＤテレビであることを特徴とする、待機モード回復回路。
【発明の詳細な説明】
【技術分野】
【０００１】
本発明は一種の待機モード回復回路に係り、特に、テレビ或いはディスプレイに適用される待機モード回復回路に関する。
【背景技術】
【０００２】
図１に示されるように、周知の待機モード（ｐｏｗｅｒ  ｓａｖｉｎｇ）は双方向チャネルアナログ混合と分離器２２を利用してその他のチップ３０とコミュニケートするＩ2 Ｃピンを中断し、待機モードを達成し、且つ待機モードから正常モードに回復させる時は、ビデオ信号採集チップ２３により検出とコミュニケートする必要があり、この時、その他のチップ３０の電源はオフとされるため、そのＩ2 Ｃピンの電圧準位は不確定準位とされ、システムが待機モードから正常モードに回復する時には、ビデオ信号採集チップ２３とマイクロプロセッサ１１を利用することでその他のチップ３０との間のコミュニケートを回復する必要がある。しかしこの時、マイクロプロセッサ１１のＩ2 Ｃピン電圧準位はその他のチップ３０のＩ2 Ｃピンピンの不確定電圧準位の影響を受けて低準位となって、その他のチップ３０と正常なコミュニケーションを達成できない状態が形成され、画面表示不能となって、使用上の問題を形成しうる。
【０００３】
周知の別の技術は双方向チャネルアナログ混合と分離器２２を利用することでマイクロプロセッサ１１とその他のチップ３０間のコミュニケートを制御することにより、マイクロプロセッサ１１とビデオ信号採集チップ２３のＩ2 Ｃピン電圧準位が影響されないようにしている。ただしこの方法は双方向チャネルアナログ混合と分離器２２を利用してＩ2 Ｃピン電圧準位を制御する必要があり、ゆえに完全には上述の問題を解決できず、使用上の問題を形成する。
【発明の開示】
【発明が解決しようとする課題】
【０００４】
本発明の目的は、コンピュータ画面を表示できるテレビに応用される待機モード回復回路を提供することにある。それは、電源調節器と、外部装置より入力される起動信号を受信し並びにそれを出力する起動信号検出回路と、外部装置より入力された垂直及び水平同期信号を受信する同期信号検出回路と、及び、電源調節器、起動信号検出回路、及び同期信号検出回路にそれぞれ接続されたマイクロプロセッサと、を具えている。そのうち、マイクロプロセッサは起動信号検出回路或いは同期信号検出回路の少なくとも一方の信号が入力される時、該マイクロプロセッサにより電源調節器の電力供給を制御し、テレビを待機モードから使用モードに回復させる。上述の起動信号検出回路は赤外線受信モジュールを具え、且つ上述の起動信号は無線リモートコントローラーより入力される赤外線信号であるか、或いはキー入力信号とされるか、或いはコンピュータより入力される同期信号とされる。
【０００５】
これにより、本発明はテレビを待機モードから使用モードに回復させる時に、まずマイクロプロセッサで全ての電源をオンし、更にＩ2 Ｃピンでコミュニケート動作を行ない、並びにどのチップの動作が必要かを検出し、双方向チャネルアナログ混合と分離器によらずに、テレビを待機モードから使用モードに回復させることができる。
【課題を解決するための手段】
【０００６】
請求項１の発明は、コンピュータ画面を表示できるテレビに応用される待機モード回復回路であって、
電源調節器と、
外部装置より入力された起動信号を受信し並びにそれを出力する起動信号検出回路と、  外部装置より入力された垂直及び水平同期信号を受信する同期信号検出回路と、
該電源調節器、該起動信号検出回路、及び該同期信号検出回路にそれぞれ接続されたマイクロプロセッサと、
を具え、該マイクロプロセッサは起動信号検出回路或いは同期信号検出回路の少なくとも一方の信号が入力される時、電源調節器の電力供給を制御し、テレビを待機モードから使用モードに回復させることを特徴とする、待機モード回復回路としている。
請求項２の発明は、請求項１記載の待機モード回復回路において、起動信号検出回路が赤外線受信モジュールを具え、起動信号が無線リモートコントローラーより入力される赤外線信号とされることを特徴とする、待機モード回復回路としている。
請求項３の発明は、請求項１記載の待機モード回復回路において、起動信号がキー入力信号とされることを特徴とする、待機モード回復回路としている。
請求項４の発明は、請求項１記載の待機モード回復回路において、同期信号がコンピュータより入力されることを特徴とする、待機モード回復回路としている。
請求項５の発明は、請求項１記載の待機モード回復回路において、テレビがＬＣＤテレビであることを特徴とする、待機モード回復回路としている。
【発明の効果】
【０００７】
本発明はテレビを待機モードから使用モードに回復させる時に、まずマイクロプロセッサで全ての電源をオンし、更にＩ2 Ｃピンでコミュニケート動作を行ない、並びにどのチップの動作が必要かを検出し、双方向チャネルアナログ混合と分離器によらずに、テレビを待機モードから使用モードに回復させることができる。
【発明を実施するための最良の形態】
【０００８】
本発明のコンピュータ画面を表示できるテレビに応用される待機モード回復回路に関しては図２の機能ブロック図を参照されたい。本実施例中、待機モード回復回路はＬＣＤテレビ１０に応用され、それは電源調節器１４、起動信号検出回路１５、同期信号検出回路１２、及びマイクロプロセッサ１１を具えている。起動信号検出回路１５は赤外線受信モジュール１５１を具え、且つ起動信号検出回路１５は外部装置より入力された起動信号を受信でき、本実施例では、起動信号は無線リモートコントローラー５１或いはキー５２で入力され、上述の同期信号検出回路１２はコンピュータ５０より入力された垂直と水平同期信号を受信でき、このコンピュータ５０はコンピュータ画像入力端子（Ｄ−ｓｕｂ）を通してＬＣＤテレビ１０に接続される。
【０００９】
ＬＣＤテレビ１０が待機モードにある時、節電の効果を達成するため、マイクロプロセッサ１１は走査チップ１６（Ｓｃａｌａｒ  ＩＣ）、或いはその他のＬＣＤテレビ１０内に組付けられたチップ３０の電源をオフし、電源調節器１４のみからマイクロプロセッサ１１の必要な電圧が供給される。本実施例では、マイクロプロセッサ１１はＩ2 Ｃを通してその他の装置とコミュニケートし、則ち待機モードの時、マイクロプロセッサ１１と各Ｉ2 Ｃピンの状態はオフとされる。ＬＣＤテレビ１０が待機モードから正常モードに回復する時マイクロプロセッサ１１は、コンピュータ５０、無線リモートコントローラー５１、或いはキー５２より起動信号が入力されたか否かを検出し、本実施例では、キー５２はテレビ上のボタン、例えば電源、チャンネル、ボリューム、テレビ／ビデオ切り換えボタン等とされ、同期信号検出回路１２はコンピュータ５０が水平及び垂直同期信号を入力したかを検出し、コンピュータ５０が同期信号を伝送してＬＣＤテレビ１０を待機モードから正常モードに回復させる時は、同期信号検出回路１２が水平及び垂直同期信号を直流準位に変換し、並びにマイクロプロセッサ１１に伝送して正常モードに回復するか否かを判定させる。本実施例では、マイクロプロセッサはコンピュータ５０、無線リモートコントローラー５１、或いはキー５２のいずれかからの起動信号を受け取ると、電源調節器１４を制御して電源をＬＣＤテレビ１０内に組付けられた全ての装置に提供し、且つマイクロプロセッサ１１はＩ2 Ｃを通して走査チップ１６及びその他のチップ３０とコミュニケートし、並びに水平及び垂直同期信号を検出した後、走査チップ１６を通して表示する信号をＬＣＤディスプレイパネル２０に送り表示させる。
【００１０】
上述したように、本発明はマイクロプロセッサ１１を利用して先ず電源調節器１４に通知してＬＣＤテレビ１０に組付けられた全ての装置をオンし、更にＩ2 Ｃを通して各装置とコミュニケートし、並びに実行させる装置を選択し、正常モードを回復する。これにより、本発明は双方向チャネルアナログ混合と分離器を通さずに待機モードから正常モードに回復する効果を達成できる。
【００１１】
以上の実施例は本発明の実施範囲を限定するものではなく、本発明に基づきなしうる細部の修飾或いは改変は、いずれも本発明の請求範囲に属するものとする。
【図面の簡単な説明】
【００１２】
【図１】周知の待機モード回復回路の機能ブロック図である。
【図２】本発明の好ましい実施例の機能ブロック図である。
【符号の説明】
【００１３】
１０  ＬＣＤテレビ            １１  マイクロプロセッサ
１２  同期信号検出回路        １３  コンピュータ画像入力端子
１４  電源調節器              １５  起動信号検出回路
１５１  赤外線受信モジュール  １６  走査チップ
２０  ＬＣＤディスプレイパネル  ５０  コンピュータ
５１  無線リモートコントローラー    ５２  キー
２２  双方向チャネルアナログ混合と分離器
２３  ビデオ信号採集チップ
【図１】
2006166392.tif 000003
【図２】
2006166392.tif 000004